(57)【要約】【課題】悪戯治具を用いて不正にゲームをされることがあった。【解決手段】メダル２２の投入口２３と、この投入口２３に連結された通路２４と、この通路２４の投入口２３側に設けられた外形判定部２６と、この外形判定部２６の下流側に設けられたセンサ２７と、このセンサ２７の下流側に設けられた出口２５と、センサ２７の出力が接続されたコネクタとを備え、前記通路２４は、投入口２３とセンサ２７との間において少なくとも２回以上蛇行したものである。これにより、所期の目的を達成することができる。【選択図】図１
2007079912.tif 000002
【特許請求の範囲】
【請求項１】
金属板の投入口と、この投入口に連結されるとともに下流に向かって設けられた通路と、この通路の前記投入口側に設けられた外形判定部と、この外形判定部の下流側に設けられるとともに前記金属板を検知するセンサと、このセンサの下流に設けられた出口と、前記センサの出力が接続されたコネクタとを備え、前記通路は前記投入口と前記センサとの間において少なくとも２回以上蛇行した金属板検知装置。
【請求項２】
蛇行は垂直方向に蛇行した請求項１に記載の金属板検知装置。
【請求項３】
蛇行は水平方向に蛇行した請求項１に記載の金属板検知装置。
【請求項４】
蛇行は水平方向と垂直方向に蛇行した請求項１に記載の金属板検知装置。
【請求項５】
垂直方向への蛇行位置で水平方向へも蛇行した請求項４に記載の金属板検知装置。
【請求項６】
金属板が順次通過する２個以上のセンサが通路に配置された請求項１に記載の金属板検知装置。
【請求項７】
センサは光学センサとした請求項１に記載の金属板検知装置。
【請求項８】
センサは反射型センサとした請求項７に記載の金属板検知装置。
【請求項９】
センサは透過型センサとした請求項７に記載の金属板検知装置。
【請求項１０】
センサの前面に鏡を配置し光路を屈曲させた請求項９に記載の金属板検知装置。
【請求項１１】
センサの前面に光ファイバを配置し光路を曲げた請求項９に記載の金属板検知装置。
【請求項１２】
センサは磁気センサとした請求項１に記載の金属板検知装置。
【請求項１３】
センサを２個以上設けるとともに通路を挟んで対向した位置に夫々設けられた請求項１２に記載の金属板検知装置。
【請求項１４】
２個のセンサは直列同相接続された請求項１３に記載の金属板検知装置。
【請求項１５】
２個のセンサは直列逆相接続された請求項１３に記載の金属板検知装置。
【請求項１６】
センサは光学センサと磁気センサを併用した請求項１に記載の金属板検知装置。
【発明の詳細な説明】
【技術分野】
【０００１】
本発明は、遊技等で使用される金属板検知装置に関するものである。
【背景技術】
【０００２】
以下、従来の金属板検知装置について説明する。遊技場等で用いられている従来の金属板検知装置は、図１３に示すような構成と成っていた。即ち図１３において、１は金属板（以下、メダルという）２が投入される投入口であり、この投入口１に連結して通路３が下流に向かって設けられている。そして、この通路３上には、投入口１方向から順にメダル２の外形判定部４と、メダル２の真偽を検知するセンサ５と、メダル２の到達を検知するメダル検知センサ６と、このメダル２の真偽により通路３を切り替える通路切替ゲート７と、この通路切替ゲート７に連結されるとともに、真と判定されたメダル２ａが導かれる出口８と、前記通路切替ゲート７に連結されるとともに、偽と判定されたメダル２ｂが導かれる排出口９と、前記外形判定部４で排除されたメダル２ｃを返却する返却口１０とで構成されていた。
【０００３】
以上のように構成された金属板検知装置について、以下にその動作を説明する。投入口１から投入されたメダル２は、通路３を転動して下流へと導かれる。この通路３の転動中に外形判定部４でメダル２の外形が判定される。次にセンサ５でメダル２の光学的特長が検出される。このセンサ５の出力はコントロール側に導かれる。そして、コントロール側で真偽が判定され、真のメダル２のみが収納ボックスへ繋がる出口８から放出される。
【０００４】
メダル２が通路３の転動中において、外形判定部４で真のメダル２より外形が小さいと判定されたメダル２ｃは返却口１０から放出される。また、センサ５から出力される信号に基づいて、偽と判定されたメダル２ｂは、排出口９から排出される。
【０００５】
このようにして、真と判別されたメダル２ａのみが出口８から放出される。このようにして、投入されたメダル２が真のメダル２ａと判定された場合のみ、遊技者はゲームを行うことができる。
【０００６】
なお、この出願の発明に関連する先行技術文献情報としては、例えば、特許文献１が知られている。
【特許文献１】特開平５−４６８４６号公報
【発明の開示】
【発明が解決しようとする課題】
【０００７】
しかしながらこのような従来の金属板検知装置では、投入口１からセンサ５までの通路３が略直線であった。そのため、図１４に示すような悪戯治具１１を用いて、不正にゲームをすることができた。
【０００８】
この悪戯治具１１について今少し詳しく説明する。この悪戯治具１１は、「く」の字をした半剛体１２で形成されており、その先端１１ａ側にはセンサ５と対向する位置に発光ダイオード１３が設けられたものである。そして、この発光ダイオード１３の点滅制御は、半剛体１２の他端１１ｂ側に設けられたボタン１４で点滅制御するものであった。従って、このボタン１４の操作により、発光ダイオード１３を点滅させ、あたかもメダル２が投入された状態を作り出す。このことにより、メダル２を投入することなくゲームを行うことができるものである。
【０００９】
本発明は、この問題を解決したもので、不正にゲームを行うことができない金属板検知装置を提供することを目的としたものである。
【課題を解決するための手段】
【００１０】
この目的を達成するために本発明の金属板検知装置の通路は、投入口とセンサとの間において少なくとも２回以上蛇行させたものである。これにより、所期の目的を達成することができる。
【発明の効果】
【００１１】
本発明の金属板検知装置の通路は、投入口とセンサとの間において少なくとも２回以上蛇行させたものであるので、半剛体で形成された悪戯治具をメダルの投入口から挿入してセンサの検知動作を制御することができない。従って、このような治具を用いて不正にゲームを行うことはできない。
【発明を実施するための最良の形態】
【００１２】
以下、本発明の実施の形態について図面に基づいて説明する。
【００１３】
（実施の形態１）
図１は、本発明の実施の形態１における金属板検知装置を正面から見た断面図である。図１において、２１は樹脂で形成されるとともに略４角形をした筐体であり、この筐体２１上方の一方の端２１ａ側近傍には、メダル（金属板の一例として用いた）２２の投入口２３が設けられている。この投入口２３は真のメダル２２ａより若干大きく形成されており、真のメダル２２ａは投入することができるが真のメダル２２ａより若干外形が大きなメダル２２ｂは投入することができない。即ち、この投入口２３は、外形の大きなメダル２２ｂを排除する役目も兼ねたものである。なお、ここで、真のメダルと偽のメダルの双方のメダルが該当するときには、単にメダル２２と記す。
【００１４】
２４は、投入口２３に連結して設けられたメダル２２の通路であり、この通路２４は下方に向かって設けられている。この通路２４は、投入口２３から先ず真下に向かって連結され、次に筐体２１の他方の端２１ｂ側に向かって約１１０度の角度（１回目の蛇行）で下流に向かって設けられている。これを第１の通路２４ａとする。そして、他方の端２１ｂ側近傍で約１５０度の角度（２回目の蛇行）で「く」の字型に曲がって、今度は一方の端２１ａ側に向かって導かれる。これを第２の通路２４ｂとする。そして、一方の端２１ａ側近傍で約１１０度の角度（３回目の蛇行）で下方に曲がって出口２５に連結している。
【００１５】
第１の通路２４ａにおいては、この通路２４ａの壁面に外形判定部２６が設けられている。この外形判定部２６は、メダル２２の直径が真のメダル２２ａより小さい偽のメダル２２ｃを排除するものである。排除されたメダル２２ｃは図示していない返却口から返却される。この外形判定部２６と投入口２３とにより、メダル２２のうち、外形の大きなメダル２２ｂと外形の小さなメダル２２ｃとが排除される。
【００１６】
第２の通路２４ｂの壁面には、センサ２７が設けられており、このセンサ２７の下流には通路切替ゲート２８が設けられている。センサ２７はメダル２２の組成等の特徴を検知するものであり、その出力は外部へ信号を取り出すコネクタに接続されている。従って、このセンサ２７で検知されたメダル２２の情報はコネクタを介して外部に接続されたコントロールによりメダル２２の真偽が判別される。
【００１７】
通路切替ゲート２８は、メダル２２の真偽により通路を切り替えるものであり、真のメダル２２ａが導かれるとともに出口２５に連結される通路２４ｃと、コントロールから偽と判定された偽のメダル２２ｄが導かれる通路２４ｅ（図示せず）とを切り替えるものである。この偽のメダル２２ｄが導かれる通路２４ｅは排出口に連結しており、偽のメダル２２ｄはこの排出口から外部へ排出される。
【００１８】
また、本実施の形態において、投入口２３と出口２５とは、同じ方向（一方の端２１ａ側の近傍）に形成される。従って、このような入口と出口を有する機器へ容易に取り付けることができる。
【００１９】
以上のように構成された金属板検知装置において、投入口２３から投入されるメダル２２は、先ず投入口２３で外形が大きなメダル２２ｂが排除され、次に、外形判定部２６で外形の小さなメダル２２ｃが排除される。そして、第２の通路２４ｂに設けられたセンサ２７により、外部のコントロールと協働して材質等が異なるメダル２２ｄが排除される。従って、投入口２３から投入されたメダル２２のうち、真のメダル２２ａのみが出口２５から放出されるものである。また、コントロール側では、真のメダル２２ａの数だけゲームができるように制御するものである。
【００２０】
ここで、本実施の形態による金属板検知装置は、投入口２３と第１の通路２４ａとの間で蛇行し、第１の通路２４ａと第２の通路２４ｂとの間で蛇行している。即ち、投入口２３とセンサ２７との間で２回蛇行している。
【００２１】
このように、投入口２３とセンサ２７との間で２回以上蛇行することにより、半剛体１２で形成された悪戯治具１１を用いても、投入口２３からセンサ２７まで到達させることができない。従って、このような悪戯治具１１を用いて悪戯をすることはできず、不正なゲーム行為を防止することができる。
【００２２】
（実施の形態２）
図２は、実施の形態２における金属板検知装置の通路の要部断面図である。実施の形態１において通路２４は垂直方向で蛇行していた。これに対して実施の形態２では通路３０が水平方向に蛇行した例である。このように、水平方向に蛇行した通路３０であっても実施の形態１と同様の効果を奏するものである。
【００２３】
図２に示すように、実施の形態２における通路３０は、第１の通路３０ａが先ず９０度水平方向に２回折れ曲がって第２の通路３０ｂを連結し、この第２の通路３０ｂは再び水平方向に２回折れ曲がって第３の通路３０ｃを連結している。
【００２４】
このように水平方向に折れ曲がることにより、高さ方向が小さな寸法で蛇行を実現することができる。従って、金属板検知装置の低背化を実現することができる。
【００２５】
（実施の形態３）
図３は、実施の形態３における金属板検知装置の通路の要部断面図である。実施の形態１において通路２４は垂直方向で蛇行し、実施の形態２において通路３０は水平方向に蛇行している。これに対して実施の形態３では通路３１が垂直方向と水平方向に同時に蛇行したものである。このように、垂直方向と水平方向に同時に蛇行した通路３１においては、実施の形態１と実施の形態２の効果を同時に奏するものである。
【００２６】
即ち、図３に示すように、実施の形態３における通路３１は、先ず第１の通路３１ａが筐体２１の端２１ａ側或いは２１ｂ側で水平方向と垂直方向に折れ曲がって第２の通路３１ｂに連結するとともに、再び水平方向と垂直方向に折れ曲がって第３の通路３１ｃに連結している。
【００２７】
このように、水平方向と垂直方向に折り曲げることにより、益々、悪戯治具１１での悪戯が困難になり、不正を防止することができる。また、垂直部分の蛇行と同時に水平方向の蛇行も実現しているので、金属板検知装置の小型化が実現できる。
【００２８】
（実施の形態４）
図４は、実施の形態４における金属板検知装置の透視正面図である。なお、実施の形態１と同じものには同一番号を付して説明を簡略化している。
【００２９】
図４において、３３は樹脂で形成された略４角形をした筐体であり、この筐体３３上方の一方の端３３ａ側近傍には、メダル２２の投入口２３が設けられている。また、筐体３３下方の他方の端３３ｂ側近傍には、メダル２２の出口２５が設けられている。そしてこの投入口２３と出口２５との間を蛇行した通路３４が連結している。
【００３０】
この通路３４は、投入口２３から先ず真下に向かって連結され、次に筐体３３の他方の端３３ｂ側に向かって約１１０度の角度（一回目の蛇行）で下流に向かって設けられている。これを第１の通路３４ａとする。そして、他方の端３３ｂ側近傍で約１５０度の角度（２回目の蛇行）で「く」の字型に垂直方向に曲がるとともに水平方向にも曲がって、今度は一方の端３３ａ側に向かって導かれる。これを第２の通路３４ｂとする。更に、一方の端３３ａ側の近傍で約１５０度の角度（３回目の蛇行）で「く」の字型に垂直方向に曲がるとともに水平方向にも曲がって、再度他方の端３３ｂ側に向かって導かれる。これを第３の通路３４ｃとする。そして、他方の端３３ｂ側近傍で約１１０度の角度（４回目の蛇行）で下方に曲がって出口２５に連結している。そして、第１の通路３４ａの壁面には外形判定部２６が設けられており、第３の通路３４ｃにはセンサ２７が設けられている。
【００３１】
図５は金属板検知装置を上方から見た平面図である。２３は上面の一方の端３３ａ側近傍に設けられた投入口２３であり、３４ａは第１の通路３４ａである。また３４ｂは第２の通路である。第３の通路３４ｃは第１の通路３４ａの下方に設けられている。このように隣あう通路はお互いに水平方向に設けられている。
【００３２】
以上のように構成された金属板検知装置において、以下にその動作を説明する。投入口２３から投入されるメダル２２は、先ず投入口２３で外形の大きいメダル２２ｂは除去される。そして、次に外形判定部２６で外形の小さいメダル２２ｃは除去される。そして、最後にセンサ２７で材質等が異なる偽のメダル２２ｄが除去される。このようにして、偽のメダル２２ｂ、２２ｃ、２２ｄは排除され、真のメダル２２ａのみが出口２５から放出される。コントロール側では、真のメダル２２ａの数を計測しており、この真のメダル２２ａの数に応じたゲームを行うことができる。
【００３３】
また、本実施の形態において、投入口２３と出口２５とは、異なる方向（一方の端３３ａ側と他方の端３３ｂ側の夫々近傍）に形成されるので、このような入口と出口を有する機器への取り付けが容易にできる。このように投入口２３或いは出口２５が機器の夫々対応する連結の位置によって、蛇行回数を変えることもできる。
【００３４】
ここで、本実施の形態による金属板検知装置は、投入口２３と第１の通路３４ａとの間で垂直方向に蛇行し、第１の通路３４ａと第２の通路３４ｂとの間で垂直方向と水平方向に蛇行している。また、第２の通路３４ｂと第３の通路３４ｃとの間で垂直方向と水平方向に蛇行している。即ち、投入口２３とセンサ２７との間で垂直方向に３回と水平方向に２回蛇行し、合計５回蛇行している。
【００３５】
このように、投入口２３とセンサ２７との間で複数回蛇行することにより、半剛体１２で形成された悪戯治具１１を用いて、投入口２３からセンサ２７まで到達することは極めて困難なことになる。従って、このような悪戯治具１１を用いて悪戯をすることはできず、不正にゲームを行うことはできない。
【００３６】
（実施の形態５）
図６は、実施の形態５における金属板検知装置の通路の要部平面図である。図６において、３５はメダル２２の通路であり、この通路３５には２個のセンサ３６ａ、３６ｂが設けられている。センサ３６ａはセンサ３６ｂより上流側に配置されている。
【００３７】
このように２個（或いはそれ以上）のセンサ３６ａ、３６ｂを設けることにより、メダル２２の進行方向を検知することができる。即ち、センサ３６ａの出力の後にセンサ３６ｂの出力がある場合は正常にメダル２２が転動しているものとして検知することができる。ところが、センサ３６ｂの出力の後にセンサ３６ａの出力がある場合は異常であり、このような場合では、例えば糸釣り等の悪戯がなされていることを検知することができる。
【００３８】
（実施の形態６）
図７は、実施の形態６における金属板検知装置の通路の要部断面図である。図７において、３７はメダル２２の通路であり、この通路３７の壁面には反射型の光学センサ３８が設けられている。このセンサ３８はメダル２２の性質を検出するものである。
【００３９】
本実施の形態では反射型のセンサ３８を用いているので、幅方向のスペースを小さくすることができる。従って、金属板検知装置の小型化を図ることができる。また、光学センサを用いているので、応答速度が速いものである。
【００４０】
（実施の形態７）
図８は、実施の形態７における金属板検知装置の通路の要部断面図である。図８において、３９はメダル２２の通路であり、この通路３９の壁面には透過型の光学センサ４０ａ、４０ｂが設けられている。このセンサ４０ａ、４０ｂはメダル２２の性質を検出するものである。
【００４１】
本実施の形態では透過型のセンサ４０ａ、４０ｂを用いているので、外部からの異物（例えば悪戯治具１１）を挿入すれば、一旦光を遮ることになるので容易に悪戯を発見することができる。また、図９に示すようにセンサ４０ａ（例えば発光ダイオード）の前方とセンサ４０ｂ（例えばフォトトランジスタ）の前方に夫々鏡４１を設けておけば、幅方向の寸法を小さくすることができる。更に、鏡４１の代わりに光ファイバを用いることもできる。この場合はセンサ４０ａ、４０ｂの取り付け位置の自由度が更に大きくなる。従って、金属板検知装置の小型化を図ることができる。また、光学センサを用いているので、応答速度が速いものである。
【００４２】
（実施の形態８）
図１０は、実施の形態８における金属板検知装置の通路の要部断面図である。図１０において、４２はメダル２２の通路であり、この通路４２の壁面には磁気センサ４３が設けられている。このセンサ４３はメダル２２の性質を検出するものである。
【００４３】
本実施の形態では磁気センサ４３を用いたものである。メダル２２の通路はゴミ等も同時に流入し易いものであるが、磁気センサを用いれば、通路４２に溜まったゴミ等の影響を受け難いことになる。従って、例えセンサ４３とその近傍の清掃を怠ったとしても正確にメダル２２の判定をすることができる。また、磁気であるので、通路４２からは壁４２ａ等で隔離することができ、このような場合はゴミ等の影響を更に受け難くすることができる。
【００４４】
（実施の形態９）
図１１は、実施の形態９における金属板検知装置の通路の要部断面図である。図１１において、４４はメダル２２の通路であり、この通路４４の両壁面には磁気センサ４５ａ、４５ｂが対向して設けられている。これらのセンサ４５ａ、４５ｂはメダル２２の材質或いは材厚を検出することができるものである。
【００４５】
即ち、センサ４５ａ、４５ｂを直列同相接続すれば、メダル２２を通過する磁力の相違からメダル２２の材質を検知することができる。また、センサ４５ａ、４５ｂを直列逆相接続すれば、メダル２２で反射する磁力の相違からメダル２２の材厚を検知することができる。
【００４６】
なお、直列同相接続したセンサ４５ａ、４５ｂと、直列逆相接続されたセンサ４５ｃ、４５ｄを併用して用いれば、メダル２２の材質と材厚を同時に検出することができる。何れにしても正確にメダル２２の性質を正確に検知することができる。
【００４７】
また、磁気センサ４５ａ、４５ｂを用いているので、通路４４に溜まったゴミ等の影響を受け難いものである。従って、例えセンサ４５ａ、４５ｂとその近傍の清掃を怠ったとしても正確にメダル２２の判定をすることができる。また、磁気であるので、通路４４からは壁４４ａ等で隔離することができ、ゴミ等の影響を更に受け難くすることができる。
【００４８】
（実施の形態１０）
図１２は、実施の形態１０における金属板検知装置の通路の要部断面図である。図１２において、４６はメダル２２の通路であり、この通路４４の壁面には光学センサ４７ａ、４７ｂと磁気センサ４８が設けられている。これらのセンサ４７ａ、４７ｂとセンサ４８とでメダル２２の性質を検出するものである。
【００４９】
このように異なる種類のセンサが設けられているのでメダル２２の真偽を精密に検出することができる。また、光学センサ４７ａ、４７ｂと磁気センサ４８の出力の順序により、メダル２２の進行方向の検知もすることができる。
【００５０】
なお、本実施の形態では、光学センサとして透過型センサ４７ａ、４７ｂを用いたが、これは実施の形態６で説明した反射型センサ３８であっても良い。
【００５１】
また、磁気センサ４８は、実施の形態９で説明した直列同相接続或いは直列逆相接続された磁気センサ４５ａ、４５ｂ或いは４５ｃ、４５ｄであっても良い。
【産業上の利用可能性】
【００５２】
本発明の金属板検知装置は、メダルの不正使用を防止することができるので、ゲーム用等の金属板検知装置として有用である。
【図面の簡単な説明】
【００５３】
【図１】本発明の実施の形態１における金属板検知装置の正面断面図
【図２】同、実施の形態２における金属板検知装置の通路の要部断面図
【図３】同、実施の形態３における金属板検知装置の通路の要部断面図
【図４】同、実施の形態４における金属板検知装置の透視正面図
【図５】同、上から見た平面図
【図６】同、実施の形態５における金属板検知装置の通路の要部平面図
【図７】同、実施の形態６における金属板検知装置の通路の要部断面図
【図８】同、実施の形態７における金属板検知装置の通路の要部断面図
【図９】同、第２の例における金属板検知装置の通路の要部断面図
【図１０】同、実施の形態８における金属板検知装置の通路の要部断面図
【図１１】同、実施の形態９における金属板検知装置の通路の要部断面図
【図１２】同、実施の形態１０における金属板検知装置の通路の要部断面図
【図１３】従来の金属板検知装置の正面図
【図１４】同、悪戯治具が挿入された金属板検知装置の正面図
【符号の説明】
【００５４】
２２  メダル
２３  投入口
２４  通路
２５  出口
２６  外形判定部
２７  センサ
【図１】
2007079912.tif 000003
【図２】
2007079912.tif 000004
【図３】
2007079912.tif 000005
【図４】
2007079912.tif 000006
【図５】
2007079912.tif 000007
【図６】
2007079912.tif 000008
【図７】
2007079912.tif 000009
【図８】
2007079912.tif 000010
【図９】
2007079912.tif 000011
【図１０】
2007079912.tif 000012
【図１１】
2007079912.tif 000013
【図１２】
2007079912.tif 000014
【図１３】
2007079912.tif 000015
【図１４】
2007079912.tif 000016